(57)【特許請求の範囲】
【請求項１】
インパクト式の印字ハンマを使用して印刷を行うラインプリンタで、印刷用紙を収納可能な印刷機構部設置用の台座部分と、印刷機構部を収納する外装カバーとから構成されるラインプリンタの筐体において、前記台座部分の上部の一端と他端とにガイドレールを設け、前記外装カバーは前記ガイドレールに沿ってスライド可能な２つの長手係合部を備えることを特徴とするラインプリンタの筐体。
【請求項２】
前記外装カバーのスライド部分と前記台座部分のガイドレールとの接触面の部材を板状とし、各々の面接触を保ちながら一部をほぼ直角に曲げた構成とすることで、前記外装カバーと台座間の気密性を確保し防音効果を高めることを特徴とする請求項１記載のラインプリンタの筐体。
【請求項３】
前記外装カバーと前記台座とをネジ留め固定することを特徴とする請求項１または２記載のラインプリンタの筐体。
【請求項４】
前記台座の後部に前記外装カバーと係合するフランジ部を設けることを特徴とする請求項３記載のラインプリンタの筐体。
【請求項５】
前記外装カバーは、前記フランジ部の係合と前記ネジ留めにより、前記台座に対し上下方向に固定されることを特徴とする請求項４記載のラインプリンタの筐体。
【発明の詳細な説明】
【０００１】
【発明の属する技術分野】
本発明は、ラインプリンタの筐体に関する。
【０００２】
【従来の技術】
印字ハンマにより印刷を行うインパクトラインプリンタにおいて、印刷時の打撃音並びにそれに起因する騒音の低減要求が多い。これらの音を小さくするためには、打撃音そのものを小さくする、または、プリンタ筐体内部に設けられた吸音部材や音源を囲う外装カバーによって打撃音を封じ込めるという方法が考えられる。しかし、印刷時の打撃音は機器の基本印刷性能、特に印刷速度や印字力（印刷物の濃度）と密接な関係にあり、打撃音自体を低減することは難しく、一般的には後者の方法を用いることが多かった。
【０００３】
具体的には、印刷用紙収納部を兼ねた印刷機構部用の台座部分と、印刷機構部を覆い、且つプリンタの稼働に必要な部位にアクセス可能な外装カバーとの係合部分にパッキン材を使用して音漏れを防止すると共に、筐体内部に吸音材を貼付け、防音効果を高めるなどの方法が用いられてきた。しかし、係合部分の形状に合わせたパッキンや筐体内部の形状に合わせた吸音材は複雑な形状となってしまう上、且つ十分な防音効果を得難い場合が多かった。また、外装カバーや台座と別部材であるパッキン等を使用して吸音効果を持たせることは、同一部材を用いることに比べ、製造時やリサイクルの面でコストがかかる。
【０００４】
また、プリンタ機器の安定稼働を維持するためには保守作業（調整）が必要となる。調整具を有する保守作業対象部は、安易な変更を防止する観点から、通常アクセス困難な位置（印刷機構部の後部等）にある。そのため、印刷機構部を覆う外装カバー一式を取り外し、保守作業対象部にアクセス可能な状態にする必要があった。また、外装カバーは大型のため重量が重くなる傾向があり、台座との係合部にパッキンや吸音材を設けた場合、吸着や大きな摩擦が生じ、取扱いが煩雑になると共に、保守作業の障害になることさえあった。
【０００５】
【発明が解決しようとする課題】
本発明は、台座部分と外装カバーとの係合部分の防音効果を高めながら、且つ一体化された比較的大型のカバーでも容易に取付け・取外しを可能なカバーを提供することを目的とする。
【問題を解決するための手段】
上記課題を解決するため、本発明では、インパクト式の印字ハンマを使用して印刷を行うラインプリンタで、印刷用紙を収納可能な印刷機構部設置用の台座部分と、印刷機構部を収納する外装カバーとから構成されるラインプリンタの筐体において、前記台座部分の上部の一端と他端とにガイドレールを設け、前記外装カバーは前記ガイドレールに沿ってスライド可能な２つの長手係合部を備えることを特徴とする。
【０００６】
また、前記外装カバーのスライド部分と前記台座部分のガイドレールとの接触面の部材を板状とし、各々の面接触を保ちながら一部をほぼ直角に曲げた構成とすることで、前記外装カバーと台座間の気密性を確保し防音効果を高めることを特徴とする。
【０００７】
また、前記外装カバーと前記台座とをネジ留め固定することを特徴とする。
【０００８】
また、前記台座の後部に前記外装カバーと係合するフランジ部を設けることを特徴とする。
【０００９】
更に、前記外装カバーは、前記フランジ部の係合と前記ネジ留めにより、前記台座に対し上下方向に固定されることを特徴とする。
【００１０】
【発明の実施の形態】
以下、本発明の実施の形態を図面を用いて詳細に説明する。
【００１１】
図１に、本発明の一例となるプリンタの筐体の分解斜視図、図２にガイド部の断面図を示す。
【００１２】
本発明のラインプリンタの筐体は、ベース部分を“コ”の字型にした外装カバー１と、外装カバー１の開口部分を塞ぐ前面カバー２と、台座３とで構成される。台座３には、外装カバー１と係合するガイド４を設ける。このガイド４は、外装カバー１を図１の矢印Ａ方向にスライドさせる際の案内となる。
【００１３】
その際、図２に示す断面図のように、外装カバー１の２つの長手状のスライド部分と前記台座部分のガイド４との接触面の部材を板状とし、各々の面接触を保ちながら一部をほぼ直角（図２のＢの部分）に曲げた構成とする。言い換えると、外装カバー１のC型形状に対し係合するようにガイド４をL型形状とする。この形状とすることで、ガイド４と外装カバー１との隙間が狭い上に、騒音が空気伝播する際、ガイド４と外装カバー１の隙間（合わせ）部分を通るが、図２のように、ほぼ直角の曲げ部Ｂを持つため、外装カバー内１で発生した音は漏れにくくなる。そして、曲げ部があることで、曲げ部が無い場合に比べ、騒音が効果的に減衰するためである。従って、騒音の低減が可能となる。
【００１４】
また、図３に示すように、外装カバー１のスライドが着実に完了した時に、外装カバー１のL型の曲げ部と係合する後部フランジ５を台座３に設ける。
【００１５】
さらに、図１に示すように、外装カバー１の長手先端部分に、スライド方向に平行な固定構造６を設けて外装カバー取付け時に各係合部分での気密性を確保し、防音効果を高める。なお、固定構造６はネジ留め等が考えられる。後部フランジとネジ留めにより、外装カバー１は台座３に対して完全に固定され、上下方向へのずれが無くなる。
【００１６】
また、本発明の筐体では、ガイド４及び先端部分の固定構造６により、外装カバー１取付け時に位置合わせも同時に行われる。これは、外装カバー１とガイド４の係合部分の形状が一致するためである。
【００１７】
【発明の効果】
本発明による筐体を使用することにより、筐体の防音効果を減少させることなく比較的大型の外装カバーでも容易に取付け取外しが可能になり、保守作業が容易になる。
【００１８】
又、取付け時の外装カバーの位置合わせが不要になると共に、比較的大型の外装カバーでも、固定箇所を最小限にすることが可能である。
【００１９】
さらに、パッキンや吸音材に使用される材料の多くは樹脂であり、これら従来技術と比較して、環境に配慮した製品を提供することが可能である。
【図面の簡単な説明】
【図１】  本発明によるプリンタ筐体の構造を示す概略斜視図である。
【図２】  ガイドレールと外装カバーの係合部分の断面図である。
【図３】  後部フランジ部の断面図である。
【符号の説明】
１は外装カバー、２は前面カバー、３は台座、４はガイド、５は後部フランジ、６は外装カバー先端部固定構造である。
【図１】
0004258171.tif 000002
【図２】
0004258171.tif 000003
【図３】
0004258171.tif 000004